(57)【要約】【課題】デザイン性に優れながらも、任意の照明色を用いたアンビエント照明と、タスク照明とを両立できる照明装置を提供する。【解決手段】第１の照明部１１１が、ＬＥＤ２からの出射光を導光板１から出射しているので、薄形化を図りつつ面発光を可能として、良好なタスク照明を実現している。又、ＬＥＤ２とＬＥＤ５２，５４とは独立して点灯可能となっているので、第１の照明部１１１によるタスク照明のみ、或いは第２の照明部１１２によるアンビエント照明のみの照明を容易に実現できる。更に、ＬＥＤ５２，５４から出射された光は、導光板１から出射された光とは反対側に向かうようになっているので、アンビエント照明光がタスク照明光に混ざることが抑制され、アンビエント照明の演色性を確保しつつ、タスク照明による作業性を確保できる。加えて、ＬＥＤ２とＬＥＤ５２，５４の発光色を任意に設定することもできるので、多彩な空間演出を実現できる。【選択図】図２
2015057756.tif 000002
【特許請求の範囲】
【請求項１】
第１の照明部と第２の照明部とを有する照明装置において、
前記第１の照明部は、第１の光源を有し、前記第１の光源から出射された光は、前記照明装置の前方側下方に向かうようになっており、
前記第２の照明部は、第２の光源を有し、前記第２の光源から出射された光は、前記第１の照明部の光の出射方向に対して反対側に向かうようになっており、
前記第１の光源と前記第２の光源とは独立して点灯可能となっていることを特徴とする照明装置。
【請求項２】
前記第１の光源から出射された光は、色温度２０００Ｋ〜７０００Ｋかつ黒体輻射のラインから±Δｕｖ０．０３の範囲にあることを特徴とする請求項１に記載の照明装置。
【請求項３】
前記第１の照明部から出射する最大輝度の光線の軌跡と、前記第１の照明部の出射面との交点から下ろした鉛直線との交差角θｏｕｔは、５０°〜７０°であることを特徴とする請求項１又は２に記載の照明装置。
【請求項４】
前記第２の照明部から出射する最大輝度の光線の軌跡と、該軌跡に交差する鉛直線とを含む面で前記照明装置を切断したときに、前記断面において、前記第２の照明部の中心から鉛直方向上方に向かう第１方向と、前記第２の照明部の中心から水平方向に向かう第２方向との間に囲まれた空間内に、前記第２の光源から出射した光のうち５０％以上が出射されることを特徴とする請求項１〜３のいずれかに記載の照明装置。
【請求項５】
前記第１の照明部は、更に導光板を有し、前記第１の光源から出射された光が前記導光板の入射面から入射して導光され出射面より出射することで、前記照明装置の前方側下方に向かうようになっており、前記第２の光源から出射された光は、前記導光板の出射面から出射された光とは反対側に向かうようになっていることを特徴とする請求項１〜４のいずれかに記載の照明装置。
【請求項６】
前記第１の照明部の導光板は、前記第１の光源に沿って配置され、前記第１の光源から出射された光を入射する入射面と、前記入射面から入射した光を出射する出射面と、前記出射面に対向する対向面とを備えており、前記対向面に光路偏向手段が設けられ、前記光路偏向手段は、前記入射面から遠ざかるにつれて前記出射面に接近する第１斜面と、前記入射面から遠ざかるにつれて前記出射面から離間する第２斜面とからなる溝形状を有することを特徴とする請求項５に記載の照明装置。
【請求項７】
前記第２の光源の発光色は、前記第１の光源の発光色と異なることを特徴とする請求項１〜６のいずれかに記載の照明装置。
【請求項８】
前記第２の光源は、独立して点灯制御可能な複数の発光部を有し、前記発光部の発光色は異なっていることを特徴とする請求項１〜７のいずれかに記載の照明装置。
【請求項９】
前記第２の光源の発光は、ゆらぎ制御されることを特徴とする請求項１〜８のいずれかに記載の照明装置。
【請求項１０】
前記照明装置は、前記第１の照明部と前記第２の照明部を有する照明ユニットと、前記照明ユニットを保持する保持部と、前記保持部を支持する台座部とを一体的に形成してなることを特徴とする請求項１〜９のいずれかに記載の照明装置。
【請求項１１】
前記保持部は板状であることを特徴とする請求項１０に記載の照明装置。
【発明の詳細な説明】
【技術分野】
【０００１】
本発明は照明装置に関し、例えば、机の近傍に吊り下げられたり、机上等に載置されて用いられると好適な照明装置に関する。
【背景技術】
【０００２】
近年、快適な照明空間の創出や省エネの観点から、タスクアンビエント照明が推奨されている。タスクアンビエント照明とは、部屋全体を照明するアンビエントライトの明るさを控えめにしつつ、読書など細かい視認作業が必要な場合は、タスクライトで局所的に明るさを補うという照明手法である。この照明手法を用いることにより、省エネルギーを満たしつつ、視認作業が必要な領域で十分な明るさを得ることができ、さらに、視野内の輝度差を抑え眼精疲労を予防することができる。
【０００３】
従来のタスクアンビエント照明は、別個の照明装置により、タスク照明とアンビエント照明とを実現している。アンビエント照明としては、シーリングライト、フロアランプ、各種間接照明器具等が用いられている。アンビエント照明に用いられる光色は、一般的な白色照明の他、空間演出のため、青、緑、赤など白色以外に発光する照明も知られている。一方、タスク照明としては、天井備え付けのダウンライト、卓上スタンド型のタスクライト等の照明器具が用いられることが多い。しかし、２種類の照明器具を設置すると、コストがかかるという問題がある。これに対し、特許文献１には、単一構造でありながら、タスク照明と、アンビエント照明とを実現できる照明器具が開示されている。
【先行技術文献】
【特許文献】
【０００４】
【特許文献１】特許第３１１４２１０号明細書
【発明の概要】
【発明が解決しようとする課題】
【０００５】
ところで、特許文献１に開示された照明器具は、タスク照明用の発光色を有する単一の光源を備えており、アンビエント照明には、同じ光源からの出射光を、色温度変換フィルタを通して変更した照明色を用いている。従って、色温度変換フィルタを通すことで変換できる照明色は限られてしまい、アンビエント照明効果が制限されるという問題がある。又、特許文献１の照明器具では、タスク照明のみ、或いはアンビエント照明のみの使用ができず、例えばタスク照明中にアンビエント照明光が混ざり込んで作業者の視界に入り、快適性に劣るとともに使い勝手が悪いという問題がある、更には、特許文献１の照明器具は、光源として蛍光ランプを用いており、照明装置の薄形を図れず、デザイン性に劣るという問題がある。
【０００６】
本発明は、上記の事情に鑑みてなされたものであって、デザイン性に優れながらも、任意の照明色を用いたアンビエント照明と、タスク照明とを両立できる照明装置を提供することを目的とする。
【課題を解決するための手段】
【０００７】
請求項１に記載の照明装置は、第１の照明部と第２の照明部とを有する照明装置において、
前記第１の照明部は、第１の光源を有し、前記第１の光源から出射された光は、前記照明装置の前方側下方に向かうようになっており、
前記第２の照明部は、第２の光源を有し、前記第２の光源から出射された光は、前記第１の照明部の光の出射方向に対して反対側に向かうようになっており、
前記第１の光源と前記第２の光源とは独立して点灯可能となっていることを特徴とする。
【０００８】
本発明によれば、前記第１の光源と前記第２の光源とは独立して点灯可能となっているので、前記第１の照明部によるタスク照明のみ、或いは前記第２の照明部によるアンビエント照明のみの照明を容易に実現できる。更に、前記第１の光源から出射された光は、前記照明装置の前方側下方に向かうようになっており、前記第２の光源から出射された光は、前記第１の照明部の光の出射方向に対して反対側に向かうようになっているので、アンビエント照明光がタスク照明光に混ざることが抑制され、アンビエント照明の演色性を確保しつつ、タスク照明による作業性を確保できる。加えて、前記第１の光源と前記第２の光源の発光色を任意に設定することもできるので、多彩な空間演出を実現できる。尚、第１の光源と第２の光源とは独立して点灯制御なものをいい、例えば基板が共通する場合でも、基板上の発光部が複数個または複数グループあって、それぞれ独立して点灯制御可能であれば、この複数の発光部を、第１の光源及び第２の光源に分けられるものとする。又、「前記第１の光源から出射された光が、前記照明装置の前方側下方に向かうようになっている」とは、最終的に前記第１の照明部から出射された光のうち最大輝度の光の方向が、前記照明装置の前方側下方に向いていれば足りる。ここで、「前方」とは、照明装置を通常の使用状態で使用する際、照明装置側から使用者に向かう方向をいう。「下方」とは、重力加速度方向をいう。また「前記第２の光源から出射された光が、前記第１の照明部の光の出射方向に対して反対側に向かうようになっている」とは、最終的に前記第２の照明部から出射された光のうち最大輝度の光の方向が、前記第１の照明部から出射された光のうち最大輝度の光の方向に対して反対側に向いていれば足りる。前記照明装置は、吊り下げられたり、面に載置して用いられることができる。前記照明装置を面に載置する場合、かかる載置面は照明装置が載置された部材そのものである必要はなく、前記照明装置が載置された面を拡張した平面であればよい。更に、「反対側」とは、前記第１の光源の発光部を通り，前記第１の照明部から出射された光のうち最大輝度の光の方向に直交する面に対して、その裏側をいう。
【０００９】
請求項２に記載の照明装置は、請求項１に記載の発明において、前記第１の光源から出射された光は、色温度２０００Ｋ〜７０００Ｋかつ黒体輻射のラインから±Δｕｖ０．０３の範囲にあることを特徴とする。
【００１０】
図１６は、ｘｙ色温度図上に黒体軌跡と等色温度線・等偏差線を描いたものである。前記第１の光源から出射された光は、色温度２０００Ｋ〜７０００Ｋかつ黒体輻射のラインから±Δｕｖ０．０３の範囲にあると、自然に近い白色光とできるから、視作業に必要な手元の演色性を確保できる。更に、前記第１の光源から出射された光は、色温度２３００Ｋ〜６５００Ｋかつ黒体輻射のラインから±Δｕｖ０．０２の範囲にあると好ましい。
【００１１】
請求項３に記載の照明装置は、請求項１又は２に記載の発明において、前記第１の照明部から出射する最大輝度の光線の軌跡と、前記第１の照明部の出射面との交点から下ろした鉛直線との交差角θｏｕｔは、５０°〜７０°であることを特徴とする。
【００１２】
図１７は、本発明の一例にかかる照明装置の使用状態における断面図である。図１７の照明装置は、第１の照明部ＩＬ１と、第２の照明部ＩＬ２とを有している。第１の照明部ＩＬ１から出射する最大輝度の光線の軌跡ＴＲ１と、第１の照明部ＩＬ１の出射面との交点Ｐ１から下ろした鉛直線ＶＬ１と直交する面を仮想面ＶＴＰとする。仮想面ＶＴＰは、照明装置の載置面でなくてもよい。軌跡ＴＲ１と鉛直線ＶＬ１との交差角θｏｕｔは、５０°〜７０°である。つまり、仮想面ＶＴＰと軌跡ＴＲ１とのなす角度である入射角θｉｎは、２０°〜４０°である。一方、第２の照明部から出射する光は、大部分が、前記第一の照明部から出射する光の反対方向に出射される。これにより、さらに、アンビエント照明光がタスク照明光に混ざることが抑制され、アンビエント照明の演色性を確保しつつ、タスク照明による作業性を確保できる。又、アンビエント照明を白色光以外で発光させた場合でも、アンビエント光の色の見え方を保ちながら、タスク照明の効果を妨げず、視作業に必要な手元の演色性を確保できる。
【００１３】
請求項４に記載の照明装置は、請求項１〜３のいずれかに記載の発明において、前記第２の照明部から出射する最大輝度の光線の軌跡と、該軌跡に交差する鉛直線とを含む面で前記照明装置を切断したときに、前記断面において、前記第２の照明部の中心から鉛直方向上方に向かう第１方向と、前記第２の照明部の中心から水平方向に向かう第２方向との間に囲まれた空間内に、前記第２の光源から出射した光のうち５０％以上が出射されることを特徴とする。
【００１４】
図１７において、第２の照明部ＩＬ２から出射する最大輝度の光線の軌跡ＴＲ２と、軌跡ＴＲ２に交差する鉛直線ＶＬ２とを含む面で照明装置を切断したときに、図１７の断面が得られたとする。この断面において、第２の照明部ＩＬ２の中心から鉛直方向上方に向かう第１方向Ｄ１と、第２の照明部ＩＬ２の中心を通り水平方向に向かう第２方向Ｄ２との間に囲まれた空間内に、第２の光源ＩＬ２から出射した光のうち５０％以上が出射されるようになっている。これにより、アンビエント照明光がタスク照明光に混ざることが抑制され、アンビエント照明の演色性を確保しつつ、タスク照明による作業性を確保できる。又、アンビエント照明を白色光以外で発光させた場合でも、アンビエント光の色の見え方を保ちながら、タスク照明の効果を妨げず、手元作業に必要な手元の演色性を確保できる。
【００１５】
請求項５に記載の照明装置は、請求項１〜３のいずれかに記載の発明において、前記第１の照明部は、更に導光板を有し、前記第１の光源から出射された光が前記導光板の入射面から入射して導光され出射面より出射することで、前記照明装置の前方側下方に向かうようになっており、前記第２の光源から出射された光は、前記導光板の出射面から出射された光とは反対側に向かうようになっていることを特徴とする。
【００１６】
レンズやリフレクターを用いて照明光を所望の方向に向けて広範囲な照明を行うようにすると、照明装置の薄型化が図れないし、部品点数が増加して複雑な構成となってしまう。本発明によれば、前記第１の照明部が、前記第１の光源からの出射光を前記導光板の出射面から出射しているので、薄形化を図りつつ面発光を可能として、良好なタスク照明を実現している。更に、前記第２の光源から出射された光は、前記導光板の出射面から出射された光とは反対側に向かうようになっているので、アンビエント照明光がタスク照明光に混ざることが抑制され、アンビエント照明の演色性を確保しつつ、タスク照明による作業性を確保できる。加えて、前記第１の光源と前記第２の光源の発光色を任意に設定することもできるので、多彩な空間演出を実現できる。
【００１７】
請求項６に記載の照明装置は、請求項５に記載の発明において、前記第１の照明部の導光板は、前記第１の光源に沿って配置され、前記第１の光源から出射された光を入射する入射面と、前記入射面から入射した光を出射する出射面と、前記出射面に対向する対向面とを備えており、前記対向面に光路偏向手段が設けられ、前記光路偏向手段は、前記入射面から遠ざかるにつれて前記出射面に接近する第１斜面と、前記入射面から遠ざかるにつれて前記出射面から離間する第２斜面とからなる溝形状を有することを特徴とする。
【００１８】
本発明によれば、前記光路偏向手段として、前記導光板に前記第１斜面と前記第２斜面とを有する複数の溝を形成することで、所望の方向に大きく傾けて照明光を出射することができる。これにより、前記第１の照明部によるタスク照明では、低い位置に水平に取り付けた状態で、作業者の手元を明るく照明でき、また低い位置に取り付けることで、照明光が直接、作業者の目に入りにくくなり、作業性が高まる。前記光路偏向手段としては、断面がＶ字状や台形状の溝を含む。
【００１９】
請求項７に記載の照明装置は、請求項１〜６のいずれかに記載の発明において、前記第２の光源の発光色は、前記第１の光源の発光色と異なることを特徴とする。
【００２０】
前記第１の光源と前記第２の光源の発光色を任意に設定することで、多彩な空間演出が可能となる。これにより周辺の光環境に合わせ、アンビエント照明の強度を調節できる。周辺が明るい場合は、アンビエント照明の強度を強め、周辺が暗い場合は、アンビエント照明の強度を弱めることで、快適な光環境が得られる。真夜中や昼間など、周囲環境に応じて色の強さを変えることもできる。
【００２１】
請求項８に記載の照明装置は、請求項１〜７のいずれかに記載の発明において、前記第２の光源は、独立して点灯制御可能な複数の発光部を有し、前記発光部の発光色は異なっていることを特徴とする。
【００２２】
前記第２の光源の発光部の発光色が異なっているので、多彩なアンビエント照明を実現できる。また、発光色によって光の照射範囲を変えることで、グラデーション照明も可能となり、水平線の表現などを行うことで、心地よい環境を実現できる。例えば、複数色のアンビエント照明のうち、より上方に出射する光を青,より下方に出射する光を白とすることで、「空」を表現できる。より上方に出射する光を水色, より下方に出射する光をオレンジとすることで、「朝日」を表現できる。より上方に出射する光を青, より下方に出射する光をオレンジとすることで、「夕暮れ」を表現できる。より上方に出射する光をオレンジ, より下方に出射する光を赤とすることで、「夕焼け」を表現できる。より上方に出射する光を水色, より下方に出射する光を黄緑とすることで、「草原」を表現できる。より上方に出射する光を緑, より下方に出射する光を濃い青とすることで、「海」を表現できる。より上方に出射する光を緑, より下方に出射する光を青とすることで、「湖」を表現できる。より上方に出射する光をオレンジ, より下方に出射する光を黄緑とすることで、「庭」を表現できる。より上方に出射する光をピンク, より下方に出射する光をオレンジとすることで、「サクラ」を表現できる。
【００２３】
請求項９に記載の照明装置は、請求項１〜８のいずれかに記載の発明において、前記第２の光源の発光は、ゆらぎ制御されることを特徴とする。
【００２４】
これにより、癒やしの効果に優れたアンビエント照明を実現できる。「ゆらぎ制御」とは、例えば周期的に照明光の色温度を変化させるような制御をいう。具体的には、照明光の光量や色を周期的、またはランダムに変化させるような制御をいう。また、照明範囲をエリアに分割し、任意のエリアの光量や色を周期的に変化させたり, エリアの境界線を波打たせたりする制御方法であってもよい。また、この時の変化の周波数fをパワースペクトルに対して反比例させることでより高い癒し効果を得ることができる。変化をさせる際、変化のスピードが速すぎる、または変化幅が大きすぎると落ち着き感を得づらい。そのため、光量の場合、最小の光量が最大の光量の1/3程度までの変化にとどめておくのが好ましい。また、最大から最小までの時間は１０秒以上であるのが好ましい。
【００２５】
請求項１０に記載の照明装置は、請求項１〜９のいずれかに記載の発明において、前記照明装置は、前記第１の照明部と前記第２の照明部を有する照明ユニットと、前記照明ユニットを保持する保持部と、前記保持部を支持する台座部とを一体的に形成してなることを特徴とする。
【００２６】
これにより、机上面等に照明装置を載置した際に、前記第１の照明部を所定の高さに保持することが出来、作業者が作用しやすい環境を提供できる。
【００２７】
請求項１１に記載の照明装置は、請求項１０に記載の発明において、前記保持部は板状であることを特徴とする。
【００２８】
前記保持部が板状であると、前記照明ユニットから出射された照明光を反射することで、作業空間をより明るく照明できるので、タスク照明を効率的に行える。
【発明の効果】
【００２９】
本発明によれば、デザイン性に優れながらも、任意の照明色を用いたアンビエント照明と、タスク照明とを両立できる照明装置を提供することができる。特に、ポータブル可能で空間を圧迫しないコンパクト性を確保しつつ、タスク照明とアンビエント照明を切り替え可能であり、且つ双方の照明を同時に行うこともできる。又、タスク照明時に、アンビエント照明がタスクライトの照射範囲内に映り込まないので、アンビエント照明の発光色がタスク照明光の発光色と異なる場合にも、演色性を失わず、作業の快適性を確保できる。更には、タスク照明時に、アンビエント照明光が目に入りづらく眩しくないので、照明部が目線より下で快適に使用可能である。
【図面の簡単な説明】
【００３０】
【図１】本発明の照明装置１００を机ＤＫの机上面ＤＫＰ上に載置した使用状態を示す図である。
【図２】本発明の照明装置１００の斜視図である。
【図３】図２の照明装置１００を、中心を通る面ＣＰで切断して示す図である。
【図４】面ＣＰで切断された照明ユニット１１０の断面図である。
【図５】第１照明部１１１の断面図である
【図６】図５の矢印VI部を拡大して示す図である。
【図７】本実施の形態の変形例にかかる照明装置１００の斜視図である。
【図８】図７の照明装置１００を下方から見た斜視図である。
【図９】更に別な変形例にかかる照明装置１００の斜視図である。
【図１０】更に別な変形例にかかる照明装置１００の斜視図である。
【図１１】更に別な変形例にかかる照明装置１００の斜視図である。
【図１２】更に別な変形例にかかる照明装置１００の斜視図である。
【図１３】第２の実施の形態にかかる照明装置１００'の斜視図である。
【図１４】図１３の照明装置１００’を下方から見た斜視図である。
【図１５】図１３の照明装置１００’を、中心を通る面ＣＰで切断して示す図である。
【図１６】ｘｙ色温度図上に黒体軌跡と等色温度線・等偏差線を描いた図である。
【図１７】本発明の一例にかかる照明装置の断面図である。
【図１８】第１の照明部から出射された光の強度分布を示す図である。
【図１９】第２の照明部から出射された光の強度分布を示す図である。
【図２０】第２の照明部から出射された光の強度分布を示す図である。
【図２１】第２の照明部から出射された光の強度分布を示す図である。
【図２２】第１の照明部又は第２の照明部から出射された光線のうち最大輝度の光の軌跡と、それに交差する鉛直線とで規定される面であり、照明部からの出射方向を示す。
【発明を実施するための形態】
【００３１】
以下に本発明の実施形態を、図面を参照して説明する。また、同一構成部材については同一の符号を用い、詳細な説明は適宜省略する。
【００３２】
図１は、本発明の照明装置１００を机ＤＫの机上面ＤＫＰ上に載置した使用状態を示す図である。図２は、本発明の照明装置１００の斜視図である。図３は、図２の照明装置１００を、中心を通る面ＣＰで切断して示す図である。図１において、照明装置１００に対して机上面ＤＫＰの中央側をタスク照明側、その反対側をアンビエント照明側とする。壁Ｗは，机ＤＫから離れていても良い。
【００３３】
図２に示すように、照明装置１００は、全体的に矩形枠状であるプラスチック製のフレーム１０１を有し、照明ユニット１１０と、照明ユニット１１０を保持する保持部１２０と、机上面ＤＫＰに載置されて保持部１２０を支持する台座部１３０とから構成されている。上端で照明ユニット１１０を保持する一対の保持部１２０は、矩形板状であって、内部を配線（不図示）が通過している。保持部１２０の下端は台座部１３０の両端に連結されている。図３に示すように、台座部１３０は、フレーム１０１の一部である上壁１３１と、下壁１３２とに囲まれた密閉空間を有し、かかる密閉空間内に、照明ユニット１１０に電力を供給する電池ＢＴが配置されている。電池ＢＴは、充電可能なものであると好ましく、或いは電池ＢＴの代わりに家庭用コンセントからコードにて電力を供給するものでも良い。尚、図２に示すように、上壁１３１には、タスク照明用のスイッチＳＷ１と、アンビエント照明用のスイッチＳＷ２、アンビエント照明のカラー切り換えスイッチＳＷ３が設けられている。照明装置１００は、正面からみたときの寸法がほぼＡ５サイズである。
【００３４】
図４は、面ＣＰで切断された照明ユニット１１０の断面図である。照明ユニット１１０は、フレーム１０１の上部空間内に収容され、タスク照明側に配置された第１照明部１１１と、アンビエント照明側に配置された第２照明部１１２とを有する。
【００３５】
図５は、第１照明部１１１の断面図であるが、一部寸法を誇張して示している。第１照明部１１１は、図５に示すように、面発光する第１主面（出射面）１１、および、この第１主面に対向して略平行に延在する第２主面（対向面）１２を備える導光板１と、第１主面１１と第２主面１２とに交差する方向に延在し該導光板１の入射面１３となる一つの側面部に対向して配設される複数の発光素子２とを備えて、発光素子２が射出する光を、入射面１３から入射して導光板１内に導光して第１主面１１から射出するものである。
【００３６】
導光板１は矩形平板状であって、第１主面１１を下面側に露出するようにして、且つ図４に示すようにタスク照明側端部を持ち上げるように傾けた状態で、フレーム１０１の上壁１０１ａに固定されたL字板状のホルダ１０２の下面に、シート状の反射板４を介在させつつ取り付けられている。
【００３７】
図５において、発光素子２は、入射面１３の方向に照明光を射出する光源であればよく、例えば、線状の光源（冷陰極管）や入射面１３の長手方向に間隔をおいて配設する複数の点状光源（ＬＥＤ）を用いることができる。また、低消費電力で発光強度が高く、白色発光するＬＥＤを用いることが好ましい。そのために、本実施形態では白色ＬＥＤを用いることとした。ここで、発光素子２に代えてＬＥＤ２として以後説明する。ＬＥＤ２は、フレーム１０１の内側の下壁１０１ｂに取り付けられた基板２１の長手方向（紙面に垂直な方向）に、直線的に略等間隔（例えば、約４．５ｍｍピッチ）で複数配列されている。ＬＥＤ２と基板２１とで第１の光源を構成する。
【００３８】
ＬＥＤ２は、白色ＬＥＤを好適に用いることが出来、青色ＬＥＤと、青色ＬＥＤからの光に励起されて所定波長の励起光を発光する蛍光体（例えば、黄色蛍光体）を組み合わせて白色発光するものである。また、白色ＬＥＤは、赤色ＬＥＤ、青色ＬＥＤ、緑色ＬＥＤを組み合わせた高演色ＬＥＤを用いてもよい。高演色ＬＥＤを用いることにより、高い色再現性の必要な用途に好適な照明装置を実現することが可能である。
【００３９】
基板２１は、例えば、入射面１３の長手方向の全幅程度の長さとされ、この基板２１に複数のチップ型のＬＥＤ２を所定ピッチで搭載する。このように、基板２１は、長手方向に一体とされるが、複数の基板に分け、それぞれを電気的に接続する構成としてもよい。また、基板２１は、台座部３１に配置される電池ＢＴと配線により接続され、タスク照明用スイッチＳＷ１を操作することにより、ＬＥＤ２を、詳細を後述する第２の照明部とは独立して点灯又は消灯可能となっている。
【００４０】
基板２１と、入射面１３との間には、不図示の位置決め部材を配置することで、ＬＥＤ２と導光板１との間隔を精度良く位置決めできる。入射面１３には、上下方向に延在するＶ字状溝を所定ピッチで設けても良い。
【００４１】
図５に示すように、入射面１３と反対側の端面１５は、第２主面１２に対して鋭角であるテーパー形状を有している。入射面１３、第１主面１１、第２主面１２は鏡面であり、テーパー状の端面１５は拡散面であると好ましい。端面１５には反射テープ１６を貼り付けている。これにより、導光板１内を端面１５まで導光され、反射されずに通過した光は、反射テープ１６で反射されることとなる。第１主面１１とテーパー形状の端面１５とのなす角は、４５°以下とするのが望ましい。但し、先端の折れや欠けを防止する為、先端を第１主面１１と直交させるように切り落としたような形状とするのが良い。端面１５をテーパー面とせず、第１主面１１に対して直交する形状としても良い。
【００４２】
端面１５とフレーム１０１との間には、弾性体としてブロック状のゴム１７が配置（接着等）されている。組み付けた状態で、ゴム１７は圧縮変形しており、その弾性力により導光板１を入射面１３側の位置決め部材（不図示）に向かって押圧している。尚、導光板１の端面１５に反射テープを貼っていない場合には、ゴム１７の表面を白色とすることで、導光板１の端面１５から出射した光を導光板１内に戻す機能が高まる。ゴム１７としては、黒色のゴムの場合、例えば株式会社ロジャースイノアックの製品名ＰＯＲＯＮ（登録商標）Ｈシリーズ等を用いることができ、白色のゴムの場合、反射タイプの合成ゴム、又は黒ゴム+反射拡散シート（例えば株式会社きもとの製品名レフホワイト（登録商標）や、東レ株式会社の製品名ルミラー（登録商標））等を用いることができる。
【００４３】
図５において、第２主面１２上には、光路偏向手段１８として紙面垂直方向に延在する複数のＶ溝を採用している。光路偏向手段１８を、射出面に対向する反対側の第２主面１２に設けることで、照度分布の均一化を図ることができ、射出面位置での照度分布をより均一にできる。
【００４４】
また、光路偏向手段１８を構成する複数のＶ溝は、図６に示すように、入射面１３側の第１斜面Ｖ１Ａと、該第１斜面Ｖ１Ａと共にＶ溝を形成する第２斜面Ｖ２Ａとを有しており、この第１斜面Ｖ１Ａと第２斜面Ｖ２Ａとの傾斜角度を変えることで、第１主面１１の垂線方向から所定角度だけ偏向する照明光の最大ピーク強度光の方向を調整することができる。第１斜面Ｖ１Ａと第２主面１２とのなす角をθ１（°）、第２斜面Ｖ２Ａと第２主面１２とのなす角度をθ２（°）としたときに、以下の式を満たすと好ましく、それにより第１主面１１の法線に対して大きく傾いた方向に光を出射できる。但し、ここでは、第１斜面Ｖ１Ａと第２主面１２のなす角θ１＝１０°、第２斜面Ｖ２Ａと第２主面１２のなす角θ２＝８０°としている。
４≦θ１≦１４      （１）
θ１≦θ２      （２）
【００４５】
以下の式を満たすと更に好ましい。
８０≦θ２≦１６０      （３）
θ１＋θ２＝９０      （４）
【００４６】
尚、光路偏向手段１８の平行するＶ溝のピッチは等間隔でも良いし、ＬＥＤ２から離れるにつれて小さくなるようにしても良い。Ｖ溝を等間隔に配置すると、意匠的にはすぐれているが、発光面での輝度分布がＬＥＤ２Ａから遠ざかるに従って暗くなる場合がある。一方、Ｖ溝ピッチを徐々に小さくした場合、発光面の輝度均一度が高くなり、光取り出し効率を上げやすいという利点がある。尚、光路偏向手段１８は、入射面１３から所定距離にわたって設けないことが望ましい。ここでは、Ｖ溝の幅、ピッチはＬＥＤ２の発光面のギラツキ感に影響を与え、その幅、ピッチが細かい方が望ましく、Ｖ溝の幅ｌ＝０．５ｍｍ、Ｖ溝のピッチｐ＝０．７５ｍｍとしている。
【００４７】
ここで、導光板１は、屈折率１以上の透明部材であり、例えば、フレキシブルな素材であるシリコン樹脂シートなどを使用できる。但し、導光体１の材料は、用途に応じ、屈折率約1.5のPMMA、ガラス材料、PMMA以外のアクリル、ポリカ、可塑性を有するシリコンを用いても良い。
【００４８】
第１主面１１に隣接するようにして、ヘイズ値５０％以下の拡散性を有する拡散板５がフレーム１０１に取り付けられている。
【００４９】
照明装置１００の動作を説明すると、タスク照明用スイッチＳＷ１を操作することで、電池ＢＴから供給された電力が、保持部１２０内の配線を介してＬＥＤ２に供給され、ＬＥＤ２を発光させる。ＬＥＤ２から出射された光束は、入射面１３に入射し、その後、図５に示すように第１主面１１と第２主面１２との間を全反射しながら導光され、光路偏向手段１８により反射拡散され全反射角から外れた光束が、第１主面１１から照明光として射出される。このとき、第１主面１１の法線に対する、出射光線のうち最も強度ピークが高い光線の角度θｍａｘは、載置面への入射角θｉｎが２０°以上、４０°以下となるような傾きを持つと好ましい。一方、導光板１内を導光するが光路偏向手段１８により捕捉されなかった光は、最終的に端面１５に入射して、ここで反射されて第１主面１１で反射する。よって、導光板１内を導光された光は逆方向に戻ることなく、全て第１主面１１から出射されることとなる。このときトータルでは、発光量の７０％以上が、第１主面１１の法線に対して、０°以上、７０°以下の傾きを持って出射されると好ましい。尚、端面１５は拡散性を有するので、広がった光線が出射される。特に、保持部１２０の内側面で反射した光も机上面ＤＫＰに向かうので、指向性を高めて作業領域を効率的に照明できる。
【００５０】
尚、第２主面１２の外側に反射板４を配置することで、光路偏向手段１８により偏向されて第２主面１２の外側に漏れ出した光を反射して再び導光板１内に戻すことができ、第１主面１１から射出する照明光の強度を大きくすることができ、高効率のタスク照明を行える第１の照明部１１１を実現することができる。一般的な照明装置では、反射板として拡散特性の高い白色反射板を用いることが多いが、本実施形態では、ミラーシート、又はミラーシートに準ずる拡散効果の小さい反射面を用いることが望ましい。拡散特性が大きすぎると、所望の斜め配光以外の角度に射出する光束が増加し、使用状態によっては、眩しさ(グレア)の原因になる。
【００５１】
反射板４は、その内面にミラー処理やミラーフィルムを貼付した樹脂板や、白色塗装の白色反射処理やミラー処理を施した反射面を有するアルミ板金などを用いることができる。また、導光板１を収容するフレーム１０１の内面を、例えば、アルミ製板金に白色塗装の白色反射処理やミラー処理を施した反射面として形成してもよく、反射フィルム（例えば、きもと社製のレフホワイト）を用いる構成としてもよい。又、第１主面１１とフレーム１０１との間にも、同様の反射板４を設けると好ましい。
【００５２】
次に、第２の照明部１１２について説明する。図４において、第２の照明部１１２は、フレーム１０１に固定された保持体５０を有する。保持体５０は、アンビエント照明側で斜め上方を向いた断面略Ｕ字状の第１溝５０ａと、アンビエント照明側で水平よりわずかに上方を向いた断面略Ｕ字状の第２溝５０ｂとを有する。内側面が放射状の反射面である第１溝５０ａの底部には、紙面垂直方向に延在する基板５１が配置され、基板５１上には所定ピッチで発光部としてのＬＥＤ５２が並べられている。一方、内側面が放射状の反射面である第２溝５０ｂの底部には、紙面垂直方向に延在する基板５３が配置され、基板５３上には所定ピッチで発光部としてのＬＥＤ５４が並べられている。第２の光源を構成するＬＥＤ５２，５４は、それぞれ独立して点灯又は消灯制御可能となっており、互いに異なる発光色を持つ。又、ＬＥＤ２の発光色である白色と異なり、発光色が有色である。ＬＥＤ５２，５４の発光面の法線（最大輝度の光線の方向）同士の角度αは、３０°〜９０°であると好ましい。なお、第２の照明部１１２から出射される光のうち５０％以上が、第２の照明部１１２の中心（ここではＬＥＤ５２，５４の中心）を通り鉛直面と水平面とに囲まれた空間に出射されると好ましい。
【００５３】
第１溝５０ａと第２溝５０ｂとに対向するようにして、Ｌ字板状の拡散板５５が、フレーム１０１に取り付けられている。
【００５４】
第２照明部１１２の動作について説明すると、アンビエント照明用スイッチＳＷ２を操作することで、電池ＢＴから供給された電力が、保持部１２０内の配線を介してＬＥＤ５２に供給され、ＬＥＤ５２を例えばブルー色で発光させる。ＬＥＤ５２から出射した光は、一部が第１溝５０ａの内側面で反射されて指向性を高められ、拡散板５５を通過してＬＥＤの粒状感が抑えられる程度に拡散され、主としてアンビエント照明側の天井面を照明する。
【００５５】
一方、電池ＢＴから供給された電力が、保持部１２０内の配線を介してＬＥＤ５４に供給され、ＬＥＤ５４を例えばグリーン色で発光させる。ＬＥＤ５４から出射した光は、一部が第２溝５０ｂの内側面で反射されて指向性を高められ、主としてアンビエント照明側の壁面を照明する。これにより、作業者は森の中にいるようなアンビエント照明を行える。更に、カラー切り替えスイッチＳＷ３を操作することで、別のカラーの発光色を有するＬＥＤを点灯させることもできる。ＬＥＤ５２，５４はゆらぎ制御されると好ましい。タスク照明用スイッチＳＷ１と、アンビエント照明用スイッチＳＷ２とを同時にオン操作することで、第１の照明部１１１と第２の照明部１１２とを同時に点灯させることができる。机上面ＤＫＰが水平面であるとして、ＬＥＤ５２，５４の中央位置から机上面ＤＫＰの法線方向を０°、照明装置１００に対して水平後方を２７０°としたときに、ＬＥＤ５２，５４から出射された光のうち発光量の５０％以上の光が垂直方向（１８０°）以上、水平方向（２７０°）以下の角度で出射されると好ましい。つまり、ＬＥＤ５２，５４からの出射光は、ＬＥＤ２の出射光とは反対側に向かう。
【００５６】
本実施形態の照明装置１００によれば、図１に示すように、第１の照明部１１１からの照明光のうち最も輝度が高い光は、机ＤＫの机上面ＤＫＰに向かって出射してタスク照明を行い、第２の照明部１１２からの照明光のうち最も輝度が高い光は、第１の照明部１１０からの照明光のうち最も輝度が高い光とは反対側に向かい、壁Ｗに対してアンビエント照明を行う。これにより中空薄形でデザイン性に優れながらも、任意の照明色を用いたアンビエント照明と、タスク照明とを両立できる。特に、ポータブル可能で空間を圧迫しないコンパクト性を確保しつつ、タスク照明と、アンビエント照明を切り替え可能であり、且つ双方の照明を同時に行うことができる。又、タスク照明時に、アンビエント照明がタスクライトの照射範囲内に映り込まないので、アンビエント照明の発光色がタスク照明光の発光色と異なる場合にも、演色性を失わず、作業の快適性を確保できる。更には、タスク照明時に、アンビエント照明光が目に入りづらく眩しくないので、照明部が目線より下で快適に使用可能である。
【００５７】
図７は、本実施の形態の変形例にかかる照明装置１００の斜視図である。図８は、図７の照明装置１００を下方から見た斜視図である。照明ユニット１１０は、上述した実施の形態と共通であるが、保持部１２０は、中央がくびれた板状となっている。又、台座部１３０には、充電用ユニットＥＵが設けられている。充電用ユニットＥＵは，不図示の家庭用コンセントに接続され、台座部１３０内の電池（不図示）を充電するように機能する。それ以外の構成は、上述した実施の形態と同様である。
【００５８】
図９は、更に別な変形例にかかる照明装置１００の斜視図である。図９の変形例では、第２の照明部１１２の発光部である基板５１とＬＥＤ５２，及び基板５３とＬＥＤ５４が台座部１３０に取り付けられ、アンビエント照明を行うようになっている。一方、第１の照明部１１１は、上部の照明ユニット１１０内に取り付けられている。
【００５９】
図１０は、更に別な変形例にかかる照明装置１００の斜視図である。図１０の変形例では、基板５１とＬＥＤ５２は照明ユニット１１０内に取り付けられているが、基板５３とＬＥＤ５４が台座部１３０に取り付けられ、これらは第２の照明部１１２の発光部としてアンビエント照明を行うようになっている。尚、第１の照明部１１１は、上部の照明ユニット１１０内に取り付けられている。
【００６０】
図１１は、更に別な変形例にかかる照明装置１００の斜視図である。本変形例では、図７，８の照明装置に対して台座を省略しており、照明ユニット１１０と保持部１２０のみからなる門型形状である。図示していないが、電池は保持部１２０内に収容されている。それ以外の構成は、上述した実施の形態と同様である。
【００６１】
図１２は、更に別な変形例にかかる照明装置１００の斜視図である。本変形例では、図７，８の照明装置に対して一方の保持部１２０を省略しており、単一の保持部１２０に対して照明ユニット１１０と台座１３０を片持ち状に取り付けたコ字状である。保持部１２０に対し、照明ユニット１１０と台座１３０の反対端はフレーム１０１で閉じた形状となっている。照明ユニット１１０は軽量であるので、片持ち状に保持されていても、フレーム１０１の変形を招く恐れは少ない。又、コ字状の照明装置１００であれば、机上面ＤＫＰ上に載置した際に、作業者の利き腕に保持部が干渉する恐れが回避され、使い勝手に優れる。尚、以上の実施の形態で、保持部１２０は外側に湾曲した形状であっても良い。
【００６２】
図１３は、第２の実施の形態にかかる照明装置１００'の斜視図である。図１４は、図１３の照明装置１００’を下方から見た斜視図である。図１５は、図１３の照明装置１００’を、中心を通る面ＣＰで切断して示す図である。
【００６３】
本実施の形態では、保持部１２０が台座部１３０に融合した形状であり、具体的には台座部１３０の両端から互いに離れるように上方に延在するとともに、上方に延在するにつれて断面が小さくなる棒状となっている。
【００６４】
照明ユニット１１０の基本的構造は、上述した実施の形態と同様であるが、照明ユニット１１０が楕円形状を有しているために、図１５に示すように、第１の照明部１１１における導光板１も楕円形状を有している。又、ＬＥＤを搭載した基板２１は、楕円の導光板１の縁に沿って湾曲した形状としている。更に、第２の照明部１１２における基板５１も、湾曲した拡散板５５に沿って湾曲した形状となっている。本実施の形態の照明装置１００'も、上述の実施の形態と同様に動作する。
【００６５】
本実施の形態の実施例について説明する。図１８は、１種類の第１の照明部から出射された光の強度分布を示す図であり、図１９〜２１は、３種類の第２の照明部から出射された光の強度分布を示す図であり、その組み合わせは任意である。なお、図１８〜２１において示す角度は、図２２に示す断面で定義される。図２２は、第１の照明部又は第２の照明部から出射された光線のうち最大輝度の光の軌跡と、それに交差する鉛直線とで規定される面で、照明装置の第１の照明部又は第２の照明部の出射面（共通に示すが出射方向は逆）を切断して模式的に示したものである。
【００６６】
図２２において、第１の照明部の出射面中心Ｏを原点とし、それから下ろした鉛直線の角度を０°（又は３６０°）とし、反時計回りに角度が増大するものとする。この角度で定義される図１８の例では、第１の照明部から出射された光のうち最大輝度の光の出射方向は、５５°となっている。
【００６７】
又、図２２において、第２の照明部の出射面中心Ｏを原点とし、それから下ろした鉛直線の角度を０°（又は３６０°）とすると、出射面中心Ｏから鉛直方向上方に向かう第１方向は１８０°の方向となり、出射面中心Ｏから水平方向に向かう第２方向は２７０°方向となる。この角度で定義される図１９の例では、第２の照明部から出射された光のうち最大輝度の光の出射方向は、２２５°となっている。同様に図２０の例では、第２の照明部から出射された光のうち最大輝度の光の出射方向は、１９０°となっている。同様に図２１の例では、第２の照明部から出射された光のうち最大輝度の光の出射方向は、１９０°及び２２５°となっており、互いに色が異なっている。
【産業上の利用可能性】
【００６８】
本発明は、明細書に記載の実施例に限定されるものではなく、他の実施例・変形例を含むことは、本明細書に記載された実施例や思想から本分野の当業者にとって明らかである。
【符号の説明】
【００６９】
１            導光板
２            発光素子（ＬＥＤ）
４            反射板
５            拡散板
１１            第１主面
１２            第２主面
１３            入射面
１５            端面
１６            反射テープ
１７            ゴム
１８            光路偏向手段
２１            基板
５０            保持体
５０ａ            第１の溝
５０ｂ            第２の溝
５１            基板
５２            ＬＥＤ
５３            基板
５４            ＬＥＤ
５５            拡散板
１００            照明装置
１０１            フレーム
１０１ａ          上壁
１０１ｂ          下壁
１０２            ホルダ
１１０            照明ユニット
１１１            第１の照明部
１１２            第２の照明部
１２０            保持部
１３０            台座部
１３１            上壁
１３２            下壁
ＢＴ            電池
ＢＴ            保持部
ＤＫ            机
ＤＫＰ            机上面
ＥＵ            充電用ユニット
ＳＷ１            タスク照明スイッチ
ＳＷ２            アンビエント照明スイッチ
ＳＷ３            カラー切り換えスイッチ
【図１】
2015057756.tif 000003
【図２】
2015057756.tif 000004
【図３】
2015057756.tif 000005
【図４】
2015057756.tif 000006
【図５】
2015057756.tif 000007
【図６】
2015057756.tif 000008
【図７】
2015057756.tif 000009
【図８】
2015057756.tif 000010
【図９】
2015057756.tif 000011
【図１０】
2015057756.tif 000012
【図１１】
2015057756.tif 000013
【図１２】
2015057756.tif 000014
【図１３】
2015057756.tif 000015
【図１４】
2015057756.tif 000016
【図１５】
2015057756.tif 000017
【図１６】
2015057756.tif 000018
【図１７】
2015057756.tif 000019
【図１８】
2015057756.tif 000020
【図１９】
2015057756.tif 000021
【図２０】
2015057756.tif 000022
【図２１】
2015057756.tif 000023
【図２２】
2015057756.tif 000024